(57)【要約】【課題】カフを拡張した状態でも気管内壁の異物等を吸引ルーメンを介して容易に吸引することが可能なカフ付き気管チューブを提供すること。【解決手段】長手方向と直交する断面において少なくとも第１軸線Ｏ１を中心とする円の一部とされた外周面１０Ｓを有する気管チューブ本体１０と、拡張状態において第２軸線Ｏ２を中心とする円筒壁部２１を有し、前記第２軸線Ｏ２を前記第１軸線Ｏ１と偏心させて前記気管チューブ本体１０の外方に配置されるカフ２０と、前記気管チューブ本体１０に形成され吸引開口部３１が開口する少なくとも一つの吸引ルーメンと、を備え、前記吸引開口部３１は、前記気管チューブ本体１０の外周面１０Ｓにおいて前記第２軸線Ｏ２よりも前記第１軸線Ｏ１に近接して配置される近接領域１０Ｇに形成されていることを特徴とする。【選択図】図３
2020044121.tif 000002
【特許請求の範囲】
【請求項１】
長手方向と直交する断面において少なくとも第１軸線を中心とする円の一部とされた外周面を有する気管チューブ本体と、
拡張状態において第２軸線を中心とする円筒壁部を有し、前記第２軸線を前記第１軸線と偏心させて前記気管チューブ本体の外方に配置されるカフと、
前記気管チューブ本体に形成され吸引開口部が開口する少なくとも一つの吸引ルーメンと、
を備え、
少なくとも一つの吸引開口部は、
前記気管チューブ本体の外周面において前記第２軸線よりも前記第１軸線側に配置される近接領域に形成されていることを特徴とするカフ付き気管チューブ。
【請求項２】
請求項１に記載のカフ付き気管チューブであって、
前記円筒壁部の外周面と前記第１軸線を中心とする円とが最も近接する近接位置における前記円筒壁部と前記気管チューブ本体との外周面間寸法をＬ１、前記円筒壁部の外周面と前記第１軸線を中心とする円とが最も離間する離間位置における前記円筒壁部と気管チューブ本体との外周面間寸法をＬ２としたときに、
（離間位置における外周面間寸法Ｌ２／近接位置における外周面間寸法Ｌ１）≧２．０
に設定されていることを特徴とするカフ付き気管チューブ。
【請求項３】
請求項１又は２に記載のカフ付き気管チューブであって、
前記近接領域に前記気管チューブ本体の外周面から外方に突出する突出部が前記気管チューブ本体の長手方向に沿って形成され、
前記吸引ルーメンは、前記突出部と対応して配置されていることを特徴とするカフ付き気管チューブ。
【請求項４】
請求項１〜３のいずれか一項に記載のカフ付き気管チューブであって、
前記気管チューブ本体の先端部に前記第１軸線に対して傾斜する傾斜開口部が形成されていることを特徴とするカフ付き気管チューブ。
【発明の詳細な説明】
【技術分野】
【０００１】
この発明は、気管チューブ本体の先端側に吸引ルーメンが開口するカフ付き気管チューブに関する。
【背景技術】
【０００２】
周知のように、自発呼吸が困難な患者の呼吸をやりやすくする目的や手術における顔面の術野を確保する目的で気管チューブ（気管切開チューブを含む）が広く用いられている。
気管チューブは、筒状に形成された気管チューブ本体の先端側（一方側）の開口部を気管内に挿入するとともに、基端側（他方側）の開口部を体外に配置することで、患者は喉や鼻から空気を取り込むことなく呼吸が可能となる。
また、必要に応じて基端側（他方側）の開口部は人工呼吸器に接続されて呼吸をよりやりやすくすることが可能である。
【０００３】
ところで、気管チューブは、気管チューブ本体の先端側の開口部を気管内の所定の位置に配置させるために、気管チューブ本体の外周にカフが配置されている。
カフは、例えば、柔軟な樹脂によって形成され略円筒状（例えば、俵形）とされていて、気管チューブ本体はカフが収縮した状態で気管内に挿入され、気管チューブ本体が気管内の所定の位置に達した後にカフを拡張させてカフの外周面を気管内壁と接触させることにより気管チューブ本体を所定位置に配置するようになっている（例えば、特許文献１参照）。
【０００４】
しかしながら、患者の気管内でカフを拡張させると、気管内に痰、唾液、血液、誤嚥物などの異物が貯留する場合がある。これら異物等は、例えば、気管チューブに設けられた吸引ルーメンを介して吸引、除去することとなる（例えば、特許文献２参照）。
【先行技術文献】
【特許文献】
【０００５】
【特許文献１】特許第４６９０５８１号公報
【特許文献２】特開２０１０−２２０７１６号公報
【発明の概要】
【発明が解決しようとする課題】
【０００６】
しかしながら、気管チューブに設けられたカフを拡張させると、気管チューブ本体に設けられた吸引ルーメンの開口部は気管内壁から離間することとなり、吸引開口部が気管内壁の異物を効率的に吸引しにくくなるという問題がある。
【０００７】
本発明は、かかる事情を考慮してなされたものであり、カフを拡張した状態でも気管内壁の異物を吸引ルーメンを介して容易に吸引することが可能なカフ付き気管チューブを提供することを目的とする。
【課題を解決するための手段】
【０００８】
上記課題を解決するために、この発明は以下の手段を提案している。
請求項１に記載の発明は、カフ付き気管チューブであって、長手方向と直交する断面において少なくとも第１軸線を中心とする円の一部とされた外周面を有する気管チューブ本体と、拡張状態において第２軸線を中心とする円筒壁部を有し、前記第２軸線を前記第１軸線と偏心させて前記気管チューブ本体の外方に配置されるカフと、前記気管チューブ本体に形成され吸引開口部が開口する少なくとも一つの吸引ルーメンと、を備え、少なくとも一つの吸引開口部は、前記気管チューブ本体の外周面において前記第２軸線よりも前記第１軸線側に配置される近接領域に形成されていることを特徴とする。
【０００９】
この発明に係るカフ付き気管チューブによれば、長手方向と直交する断面において少なくとも第１軸線を中心とする円の一部とされた外周面を有する気管チューブ本体と、拡張状態において第２軸線を中心とする円筒壁部を有し、第２軸線を前記第１軸線と偏心させて前記気管チューブ本体の外方に配置されるカフと、気管チューブ本体に形成され吸引開口部が開口する少なくとも一つの吸引ルーメンとを備え、少なくとも一つの吸引開口部が気管チューブ本体の外周面において第２軸線よりも第１軸線側に配置される近接領域に形成されているので、吸引開口部を気管内壁に容易に接近させることができる。
その結果、気管内に貯留された異物を吸引ルーメンを介して容易に吸引することができる。
【００１０】
ここで、第１軸線、第２軸線、気管チューブ本体の外周面及び円筒壁部（カフ）の外周面の相対位置関係は、気管チューブ本体をまっすぐに伸ばした状態におけるものとする。
【００１１】
また、近接領域とは、気管チューブ本体の外周面において、第１軸線に対して偏心させた円筒壁部の外周面との距離が、偏心させていない円筒壁部の外周面との距離よりも短くなる領域をいう。
【００１２】
また、第２軸線よりも第１軸線側に配置されるとは、第１軸線を中心とし気管チューブ本体の外周面の少なくとも一部をなす円の周方向位置のうち、偏心された第２軸線よりも第１軸線に近接する領域にあることをいう。具体的には、偏心量をＦとしたときに、第１軸線と第２軸線を結ぶ線分上において第２軸線から第１軸線側に（Ｆ／２）だけ近接する位置で垂線を引いたときに、第１軸線を中心とする円との垂線との交点より第１軸線側に位置される領域にあることをいう。
【００１３】
請求項２に記載の発明は、請求項１に記載のカフ付き気管チューブであって、前記円筒壁部の外周面と前記第１軸線を中心とする円とが最も近接する近接位置における前記円筒壁部と前記気管チューブ本体との外周面間寸法をＬ１、前記円筒壁部の外周面と前記第１軸線を中心とする円とが最も離間する離間位置における前記円筒壁部と前記気管チューブ本体との外周面間寸法をＬ２としたときに、（離間位置における外周面間寸法Ｌ２／近接位置における外周面間寸法Ｌ１）≧２．０に設定されていることを特徴とする。
【００１４】
この発明に係るカフ付き気管チューブによれば、近接位置における円筒壁部と気管チューブ本体との外周面間寸法をＬ１、離間位置における円筒壁部と気管チューブ本体との外周面間寸法をＬ２としたときに、（離間位置における外周面間寸法Ｌ２／近接位置における外周面間寸法Ｌ１）≧２．０に設定されているので、吸引開口部を気管内壁により接近させて効率的に吸引することができる。
【００１５】
請求項３に記載の発明は、請求項１又は２に記載のカフ付き気管チューブであって、前記近接領域に前記気管チューブ本体の外周面から外方に突出する突出部が前記気管チューブ本体の長手方向に沿って形成され、前記吸引ルーメンは、前記突出部と対応して配置されていることを特徴とする。
【００１６】
この発明に係るカフ付き気管チューブによれば、近接領域に気管チューブ本体の外周面から外方に突出する突出部が気管チューブ本体の長手方向に沿って形成され、吸引ルーメンが突出部と対応して配置されているので、吸引開口部をさらに気管内壁に接近させることができる。
【００１７】
請求項４に記載の発明は、請求項１〜３のいずれか一項に記載のカフ付き気管チューブであって、前記気管チューブ本体の先端部に前記第１軸線に対して傾斜する傾斜開口部が形成されていることを特徴とする。
【００１８】
この発明に係るカフ付き気管チューブによれば、気管チューブ本体の先端部に傾斜開口部が形成されているので、傾斜開口部に吸引開口部を開口させることで開口面積を大きくすることができる。
【発明の効果】
【００１９】
この発明に係るカフ付き気管チューブによれば、カフを拡張した状態でも気管内壁の異物を吸引ルーメンを介して容易に吸引することができる。
【図面の簡単な説明】
【００２０】
【図１】本発明の第１実施形態に係るカフ付き気管切開チューブの概略構成を説明する斜視図である。
【図２】第１実施形態に係るカフ付き気管切開チューブの概略構成を説明する図であり、図１において矢視II-IIで示す断面図である。
【図３】第１実施形態に係るカフ付き気管切開チューブの概略構成を説明する図であり、図１において矢視IIIで示す先端開口部側から見た図である。
【図４】第１実施形態に係るカフ付き気管切開チューブを説明する図であり、近接領域の一例の詳細を示す概念図である。
【図５】第１実施形態に係るカフ付き気管切開チューブを説明する図であり、近接領域の変形例の詳細を示す概念図である。
【図６】第１実施形態に係るカフ付き気管切開チューブの概略構成を説明する図であり、図１において矢視ＶＩで示す図である。
【図７】第１実施形態に係るカフ付き気管切開チューブの適用例の概略を説明する断面図である。
【図８】第１実施形態に係るカフ付き気管切開チューブの適用例の詳細を説明する断面図である。
【図９】本発明の第２実施形態に係るカフ付き気管切開チューブの概略構成を説明する第１軸線に沿って先端開口部側から見た図である。
【発明を実施するための形態】
【００２１】
＜第１実施形態＞
以下、図１から図８を参照して、本発明の第１実施形態について説明する。
図１は本発明の第１実施形態に係るカフ付き気管切開チューブの概略構成を説明する斜視図である。また、図２は図１において矢視II-IIで示す断面図であり、図３は図１において矢視IIIで示す気管チューブ本体を第１軸線Ｏ１に沿って先端開口部側から見た図であり、図４は近接領域の一例の詳細を示す概念図であり、図５は近接領域の変形例の詳細を示す概念図であり、図６は図１に矢視ＶＩで示す断面図である。
図において、符号１００はカフ付き気管切開チューブ（カフ付き気管チューブ）を、符号１０は気管チューブ本体を、符号２０はカフを、符号３０は吸引ルーメンを、符号３１は吸引開口部を、符号１０Ｇは近接領域を示している。
【００２２】
気管切開チューブ（カフ付き気管チューブ）１００は、図１に示すように、例えば、気管チューブ本体１０と、カフ２０と、吸引ルーメン３０と、固定板（装着部材）４０とを備えている。
【００２３】
また、気管チューブ本体１０は、図２から図５に示すように、第１軸線Ｏ１に沿って形成された流通孔１０Ｈと、流通孔１０Ｈと同軸とされ第１軸線Ｏ１を中心とする外径寸法（直径）Ｄ１の円（図３に二点鎖線で示す）の一部からなる円弧部及びこの円弧部に対して外方に向かって突出する突出部１１とを有する外周面１０Ｓと、先端開口部１０Ａとを備えた筒状とされている。
【００２４】
先端開口部１０Ａは、気管チューブ本体１０の先端部に開口しており、第１軸線Ｏ１に対して傾斜する傾斜部（先端開口部１０Ａの第１軸線Ｏ１方向における先端位置及び後端位置の間に位置される部分）を備えている。
この実施形態において、気管チューブ本体１０は、例えば、ポリエチレン等により形成され可撓性を有している。
また、気管チューブ本体１０は、長手方向の途中に緩やかに湾曲する湾曲部１２が形成されている。
【００２５】
突出部１１は、図２、図３に示すように、例えば、軸線Ｏ１に沿って見たときに、半径が外径寸法Ｄ１の円（図３に二点鎖線で示す）の半径よりも小径の円弧状に形成されている。
また、突出部１１は、この実施形態において、先端開口部１０Ａの傾斜部（先端開口部１０Ａの先端位置及び後端位置の中央近傍に配置され、気管チューブ本体１０に沿って伸びている。
【００２６】
ここで、第１軸線Ｏ１、第２軸線Ｏ２、およびこれらの相対位置関係は、気管チューブ本体１０をまっすぐに伸ばした状態に基づくものとする。
【００２７】
カフ２０は、例えば、ポリエチレン等柔軟性を有する樹脂によって形成され収縮及び拡張可能に構成されている。
また、カフ２０は、例えば、拡張された状態で外周面２１Ｓが第２軸線Ｏ２を中心とする円筒状に形成された円筒壁部２１と、円筒壁部２１の先端側に配置され円筒壁部２１と気管チューブ本体１０とを接続する先端側壁部２２と、円筒壁部２１の基端側に配置され円筒壁部２１と気管チューブ本体１０とを接続する基端側壁部２３とを備えている。
なお、円筒壁部２１は外径寸法（直径）Ｄ２に形成されている。
【００２８】
そして、カフ２０は、気管チューブ本体１０の外周に設けられ、カフ２０の内部はカフポンプ２５に接続されている。
また、カフ２０の内部は外部に対して気密に形成され、カフポンプ２５を操作してカフ２０内に空気を導入することにより拡張され、カフ２０内から空気を抜くことにより収縮するように構成されている。
【００２９】
また、カフ２０は、図２、図３、図４に示すように、第２軸線Ｏ２を気管チューブ本体１０の第１軸線Ｏ１に対して、距離（軸間距離）Ｆだけ偏心させて気管チューブ本体１０の外周面（外方）１０Ｓに配置されている。
【００３０】
吸引ルーメン３０は、先端側に吸引開口部３１が開口し突出部１１に沿って形成され、吸引チューブ３５の基端側（気管チューブ本体１０の途中位置）に吸出側開口部３２が開口し、吸出側開口部３２は吸引チューブ３５に接続される。
【００３１】
吸引開口部３１は、気管チューブ本体１０の外周面１０Ｓにおいて、第２軸線Ｏ２よりも第１軸線Ｏ１側に位置される近接領域１０Ｇに形成されている。
具体的には、図３に示すように、例えば、第１軸線Ｏ１と直交する断面において、第１軸線Ｏ１と第２軸線Ｏ２を結ぶ直線と外周面１０Ｓがなす円Ｃ１との交点のうち、第１軸線Ｏ１側に位置される近接位置ＰＳにおいて開口している。また、吸引開口部３１は、突出部１１の端面に開口している。
【００３２】
その結果、近接位置ＰＳにおいて、気管チューブ本体１０の突出部１１の頂部と、円筒壁部２１の外周面２１Ｓとの距離（以下、外周面間寸法という）は最小（＝Ｌ１）となり、吸引開口部３１は円筒壁部２１の外周面２１Ｓに最も近接する。また、第１軸線Ｏ１に対して第２軸線Ｏ２側に位置される離間位置ＰＬにおいて、気管チューブ本体１０のの外周面１０Ｓと外周面２１Ｓとの外周面間寸法は最大（＝Ｌ２）となる。
【００３３】
また、この実施形態において、図３に示す近接位置ＰＳにおける外周面間寸法Ｌ１に対する離間位置ＰＬにおける外周面間寸法Ｌ２の比Ｋ（＝（離間位置ＰＬにおける外周面間寸法Ｌ２／近接位置ＰＳにおける外周面間寸法Ｌ１））は、例えば、２．０に設定されている。
なお、Ｋの値は任意に設定することが可能であるが、吸引開口部３１が気管内壁に接近しやすくなる点で、例えば、２.０以上に設定することが好適であり、３．０以上に設定することがより好適である。
【００３４】
また、外周面間寸法Ｌ１に対する外周面間寸法Ｌ２の比Ｋ（＝（離間位置ＰＬにおける外周面間寸法Ｌ２／近接位置ＰＳにおける外周面間寸法Ｌ１））は、気管チューブ本体１０の外径寸法Ｄ１、カフ２０の外径寸法Ｄ２、第１軸線Ｏ１と第２軸線Ｏ２の軸間距離Ｆ、突出部が近接位置ＰＳにある場合における気管チューブ本体の外周面１０Ｓから突出部１１の頂部までの高さＪで表すと、以下のようになる。
Ｌ１＝（（Ｄ２−Ｄ１）／２）−Ｆ−Ｊ                      ・・・（数式１）
Ｌ２＝（（Ｄ２−Ｄ１）／２）＋Ｆ                          ・・・（数式２）
Ｌ１＋Ｌ２＝Ｄ２−Ｄ１−Ｊ                                ・・・（数式３）
数式１〜数式３から
Ｋ＝（（（Ｄ２−Ｄ１）／２）＋Ｆ）／（（（（Ｄ２−Ｄ１）／２）−Ｆ）−Ｊ）
＝（（Ｄ２−Ｄ１）＋２Ｆ）／（（Ｄ２−Ｄ１）−２Ｆ−２Ｊ）    ・・・（数式４）
である。
したがって、Ｋが目標の値となるように、Ｄ１、Ｄ２に応じて偏心量（軸間距離）Ｆ、突出部１１の高さＪを設定すればよい。
ここで、
Ｄ１：気管チューブ本体１０の外径寸法
Ｄ２：カフ２０（円筒壁部２１）の外径寸法
Ｌ１：離間位置ＰＬにおける外周面間寸法
Ｌ２：近接位置ＰＳにおける外周面間寸法
Ｆ：軸間距離（偏心量）
Ｊ：気管チューブ本体の外周面から突出部の頂部までの高さ（突出部がない場合はゼロ）
【００３５】
なお、吸引開口部３１は、近接位置ＰＳに限定されることなく、近接領域１０Ｇの任意の位置に開口させてもよい。
例えば、近接領域１０Ｇを、図４に示すように、気管チューブ本体１０の外周面１０Ｓにおいて、第１軸線Ｏ１と第２軸線Ｏ２からの距離が等しくなるＰ１１より第１軸線Ｏ１側の領域に設定してもよい。具体的には、偏心量をＦとしたときに、第１軸線Ｏ１と第２軸線Ｏ２を結ぶ線分上において、第２軸線Ｏ２から第１軸線Ｏ１側に（（１／２）×Ｆ）だけ近接する位置Ｐ０１で垂線を引いたときに、第１軸線Ｏ１を中心とする円Ｃ１上において垂線との交点Ｐ１１より第１軸線Ｏ１側の領域としてもよい。
【００３６】
また、近接領域１０Ｇを、例えば、図５に示すように、気管チューブ本体１０の外周面１０Ｓにおいて、第１軸線Ｏ１と同軸の円筒壁部２１の外周面２１Ｓがなす円Ｃ２１と、第１軸線Ｏ１から偏心した円筒壁部２１の外周面２１ＳがなすＣ２２の交点をＰ２とし、第１軸線Ｏ１と交点Ｐ２を結ぶ線分と、気管チューブ本体１０の外周面１０Ｓがなす円Ｃ１との交点Ｐ１２よりも近接位置ＰＳ側の領域としてもよい。ここで、交点Ｐ２と第１軸線Ｏ１、交点Ｐ２と第２軸線Ｏ２とは、ともに円Ｃ２の半径（＝Ｄ１／２）であり等距離となる。
【００３７】
また、近接領域１０Ｇを、図３に示すように、第１軸線Ｏ１を中心として近接位置ＰＳから時計回り及び反時計回りの角度θで定義してもよい。例えば、近接位置ＰＳから時計回り及び反時計回りにそれぞれ９０°内（＜９０°）の範囲とすることは上記変形例よりも近接する点で好適であり、θ≦４５°の範囲に設定することがより好適であり、θ≦３０°の範囲に設定することはさらに好適である。
【００３８】
固定板（装着部材）４０は、例えば、外形略矩形の板状に形成されていて、気管チューブ本体１０の途中に配置されている。
また、固定板（装着部材）４０の左右には、患者に気管切開チューブ１００を装着するための取付け穴４１が形成されている。
【００３９】
次に、図７、図８を参照して、カフ付き気管切開チューブ１００の作用について説明する。図７は、第１実施形態に係るカフ付き気管切開チューブ１００の適用例の概略を説明する断面図であり、図８はカフ付き気管切開チューブ１００の適用例の詳細を説明する断面図である。
図において、符号Ｐは患者を、符号ＰＡは気管を示している。
【００４０】
（１）カフ付き気管切開チューブ１００は、例えば、カフを収縮した状態で患者Ｐの首に形成した切開孔を介して気管ＰＡ内に挿入される。
（２）次に、図７に示すように、気管チューブ本体１０の先端部が気管ＰＡ内壁の所定位置に達したら、カフポンプ２５を操作してカフ２０を拡張する。
このとき、カフ２０の円筒壁部２１の第２軸線は、気管チューブ本体１０の第１軸線に対して偏して配置され、気管チューブ本体１０の患者Ｐにおける背面側に吸引ルーメン３０の吸引開口部３１が位置されているので、吸引開口部３１は気管ＰＡの内壁に効率的に接近することができる。
（３）カフ２０が拡張すると、気管ＰＡ内壁にカフ２０の外周面が接触して気管チューブ本体１０が気管ＰＡ内の所定位置に保持される。
(４）そして、図８に示すように、吸引ルーメン３０の吸出開口部３２に接続された吸引装置（不図示）を操作して、気管ＰＡ内に貯留された異物Ｗを吸引開口部３１から吸引する。
【００４１】
第１実施形態に係るカフ付き気管切開チューブ１００によれば、第２軸線Ｏ２を第１軸線Ｏ１と偏心させて気管チューブ本体１０の外方にカフ２０が配置され、吸引開口部３１が近接位置ＰＳに形成されているので、吸引開口部３１を気管ＰＡ内壁に容易に接近させることができる。その結果、気管ＰＡ内壁に貯留された異物Ｗを容易に吸引することができる。
【００４２】
第１実施形態に係るカフ付き気管切開チューブ１００によれば、近接位置ＰＳにおける外周面間寸法Ｌ１に対する離間位置ＰＬにおける外周面間寸法Ｌ２の比Ｋが２．０に設定されているので、吸引開口部３１を気管ＰＡ内壁により接近させて効率的に吸引することができる。
【００４３】
第１実施形態に係るカフ付き気管切開チューブ１００によれば、気管チューブ本体１０の外周面１０Ｓの近接領域１０Ｇに突出部１１が形成され、吸引ルーメン３０が突出部１１と対応して配置されているので、吸引開口部３１を気管ＰＡ内壁に対してより接近させて効率的に吸引することができる。
【００４４】
第１実施形態に係るカフ付き気管切開チューブ１００によれば、吸引開口部３１が先端開口部１０Ａの傾斜部に配置されているので、気管ＰＡ内に貯留された異物Ｗを効率的に吸引することができる。
【００４５】
＜第２実施形態＞
次に、図９を参照して、本発明の第２実施形態について説明する。
図９は、本発明の第２実施形態に係るカフ付き気管切開チューブの概略構成を説明する図であり、第１軸線に沿って先端開口部側から見た図である。図において、符号２００は気管切開チューブを示している。
【００４６】
気管切開チューブ２００は、例えば、気管チューブ本体２１０と、カフ２２０と、気管チューブ本体２１０に形成された吸引ルーメン２３０とを備えている。
【００４７】
気管チューブ本体２１０は、例えば、第１軸線Ｏ１を中心とする流通孔２１０Ｈと、流通孔２１０Ｈと同軸に形成された第１軸線Ｏ１を中心とする円形に形成された外周面２１０Ｓとを備えた一定肉厚の円筒形に形成されている。
【００４８】
また、カフ２２０は、第２軸線Ｏ２を中心とする円筒状に形成された外周面２２０Ｓを有する円筒壁部２２１を備え、気管チューブ本体２１０の外周に配置されている。
また、カフ２２０は、第２軸線０２を第１軸線Ｏ１に対して偏心して配置されている。
そして、例えば、近接位置ＰＳにおける外周面間寸法Ｌ１に対する離間位置ＰＬにおける外周面間寸法Ｌ２の比Ｋ（＝（離間位置ＰＬにおける外周面間寸法Ｌ２／近接位置ＰＳにおける外周面間寸法Ｌ１））は２．０に設定されている。
その他は第１実施形態と同様であるので説明を省略する。
【００４９】
なお、この発明は上記実施の形態に限定されるものではなく、発明の趣旨を逸脱しない範囲において、種々の変更をすることができる。
例えば、上記実施形態においては、吸引開口部３１が近接位置ＰＳに形成されている場合について説明したが、例えば、近接位置ＰＳ以外の近接領域１０Ｇに形成してもよい。
また、複数の吸引開口部が開口する場合に、少なくとも一つの吸引開口部が近接領域１０Ｇに開口していればよく、近接領域１０Ｇ以外に開口する吸引開口部があってもよい。
【００５０】
また、上記実施の形態においては、気管チューブ本体１０におけるカフ２０より先端側の先端開口部１０Ａにひとつだけ吸引開口部３１が開口する場合について説明したが、気管チューブ本体１０に開口する吸引開口部の位置、数については任意に設定することが可能である。例えば、カフ２０よりも先端側に開口する吸引開口部に加えて、カフ２０よりも上側（口側）に開口して分泌物等を中心に吸引する吸引開口部を形成してもよいし、カフ２０の上側（口側）のみに吸引開口部を形成してもよい。
【００５１】
また、上記実施形態においては、近接位置ＰＳにおける外周面間寸法Ｌ１に対する離間位置ＰＬにおける外周面間寸法Ｌ２の比Ｋが２．０に設定されている場合について説明したが、外周面間寸法Ｌ１に対する外周面間寸法Ｌ２の比Ｋは任意に設定することが可能であり、例えば、２．０未満に設定してもよいし、２．０よりも大きく設定してもよい。
【００５２】
また、上記実施の形態においては、吸引開口部３１が先端開口部１０Ａの傾斜部の端面に形成されている場合について説明したが、吸引開口部３１を先端開口部１０Ａのいずれの位置に形成するかは適宜設定することが可能である。例えば、先端開口部１０Ａの傾斜部における先端部又は後端部に配置してもよい。また、気管チューブ本体１０の外周面に開口するように形成してもよい。
【００５３】
また、上記実施の形態においては、先端開口部１０Ａが傾斜部を有している場合について説明したが、先端開口部１０Ａが傾斜部を有するかどうかは任意に設定することが可能である。
【００５４】
また、上記実施の形態においては、気管チューブ本体１０の近接位置ＰＳに断面円弧状の突出部１１が形成されている場合について説明したが、突出部１１の形状、形成するかどうか、突出部に吸引開口部を開口させるかどうかは任意に設定することが可能である。また、近接領域１０Ｇにおける近接位置ＰＳ以外に突出部１１を形成してもよい。
【００５５】
また、上記実施形態においては、カフ付き気管チューブが単管式の気管切開チューブ１００である場合について説明したが、例えば、アウター気管チューブ本体にインナー気管チューブ本体を挿入して構成され、アウター気管チューブ本体又はインナー気管チューブ本体に吸引用ルーメンが形成された複管式の気管切開チューブに適用してもよい。
【００５６】
また、上記実施形態においては、カフ付き気管チューブが単管式の気管切開チューブである場合について説明したが、例えば、経口式又は経鼻式の気管チューブに適用してもよい。
【産業上の利用可能性】
【００５７】
本発明に係るカフ付き気管チューブによれば、気管内に貯留した異物を吸引ルーメンを介して容易に除去することができるので産業上利用可能である。
【符号の説明】
【００５８】
ＰＳ  近接位置
ＰＬ  離間位置
１００、２００  気管切開チューブ（カフ付き気管チューブ）
１０、２１０  気管チューブ本体
１０Ｇ  近接領域
１０Ｓ、２１０Ｓ  外周面（気管チューブ本体）
１１  突出部
２０、２２０  カフ
２１、２２１  円筒壁部
２１Ｓ、２２０Ｓ  外周面（円筒壁部）
３０、２３０  吸引ルーメン
３１、２３１  吸引開口部
３２  吸出側開口部
４０  固定板（装着部材）
【図１】
2020044121.tif 000003
【図２】
2020044121.tif 000004
【図３】
2020044121.tif 000005
【図４】
2020044121.tif 000006
【図５】
2020044121.tif 000007
【図６】
2020044121.tif 000008
【図７】
2020044121.tif 000009
【図８】
2020044121.tif 000010
【図９】
2020044121.tif 000011